(57)【要約】【課題】揮発溶媒を滴下させるときに揮発溶媒用カラムのノズルを捕集用容器の口部に挿入させることにより空気中の水蒸気がノズルに露化して捕集用容器内に滴下することを防止することができる揮発溶媒用カラムラックを提供する。【解決手段】揮発溶媒用カラム１７から捕集用容器１６に溶媒を滴下させるときは、カラムのノズル１７ａが捕集用容器の口部１６ａに挿入されるようにカラム支持台１８が下降位置１８Ｌに下降されて、揮発溶媒用カラムのノズル先端が揮発溶媒の蒸気雰囲気内に挿入される。これにより、ノズル１７ａから滴下する揮発溶媒の気化熱によって温度が低下してもノズル外周面に水蒸気が露化して捕集用容器内に滴下することが無くなる。捕集用容器を出し入れするときは、揮発溶媒用カラムのノズル下端が捕集用容器の口部上端より上方に離脱するようにカラム支持台が上昇位置１８Ｈに上昇される。【選択図】  図１
2010025593.tif 000002
【特許請求の範囲】
【請求項１】
揮発溶媒用カラム及び捕集用容器を上下方向に整列して保持し、揮発溶媒用カラムから自然落下する揮発溶媒を捕集用容器に捕集する揮発溶媒用カラムラックにおいて、
枠体に設けられ前記捕集用容器が載置される容器台と、
前記揮発溶媒用カラムをノズルを下方にして直立支持し前記枠体に上下方向に移動可能に装架されたカラム支持台と、
前記枠体に設けられ前記カラム支持台を、前記捕集用容器を出し入れするときに前記揮発溶媒用カラムのノズル下端を前記捕集用容器の口部上端より上方に離脱させる上昇位置と、前記揮発溶媒用カラムから溶媒を滴下させるときに前記揮発溶媒用カラムのノズルを前記捕集用容器の口部に挿入させる下降位置との間で昇降させる昇降装置と、
を備えたことを特徴とする揮発溶媒用カラムラック。
【請求項２】
請求項１において、前記昇降装置は、前記枠体に水平軸線回りに回転可能に軸承された回転軸と、該回転軸に所定量偏心して平行に設けられ前記カラム支持台に下方から当接し前記回転軸の回転によって前記カラム支持台を前記上昇位置と下降位置との間で昇降させる偏心軸と、前記偏心軸が上死点を僅かに通過した位置で前記回転軸の回転を規制する停止部材と、を備えることを特徴とする揮発溶媒用カラムラック。
【請求項３】
請求項１又は２において、前記容器台は、該容器台に載置された前記捕集用容器が前記昇降台に支持された揮発溶媒用カラムと上下方向に整列する捕集位置と、前記捕集用容器を前記容器台に着脱する着脱位置との間で移動可能に前記枠体に装架されていることを特徴とする揮発溶媒用カラムラック。
【発明の詳細な説明】
【技術分野】
【０００１】
本発明は、揮発溶媒用カラム及び捕集用容器を上下方向に整列して保持し、揮発溶媒用カラムから自然落下する揮発溶媒を捕集用容器に捕集する揮発溶媒用カラムラックに関するものである。
【背景技術】
【０００２】
従来、図６に示すように、揮発溶媒用カラム６０をカラムラック６１の上方に垂直に保持し、捕集用容器６２を揮発溶媒用カラム６０のノズル６０ａの下方に対向してカラムラック６１の下方に載置し、ノズル６０ａから自然落下する揮発溶媒６３を捕集用容器６２に捕集することが行われている。しかしながら、これによると、揮発溶媒用カラム６０のノズル６０ａから滴下する揮発溶媒の気化熱によってノズル６０ａの外周面の温度が低下し、ノズル外周面に水蒸気が露６４となって付着し、捕集用容器６２内に滴下して、溶媒６５内に小さな露６４となって混入する。このため、溶媒に溶融した特定物質の分析精度が低下する。
【０００３】
かかる不具合を解消するために、特許文献１の図２に示されたカートリッジ固定用具では、溶媒が供給される固相抽出カートリッジ１０（カラム）をカートリッジ固定用具１を介して試験管２０（補修用容器）に固定し、試験管２０を試験管立て４０に立てるものがある。カートリッジ固定用具１は、試験管２０の口頸部２０ａに被せられるキャップ本体２と、キャップ本体２の天井部２ａに穿設され固相抽出カートリッジ１０のノズル１０ｃが差し込まれる差込み孔３とを有し、差込み孔３にノズル１０ｃを差し込まれて起立した固相抽出カートリッジ１０を保持した状態で試験管２０にキャップ本体２で被せられ、この試験管２０が試験管立て４０に立てられる。
【特許文献１】特開２００６−３２９９４０号公報
【発明の開示】
【発明が解決しようとする課題】
【０００４】
特許文献１に記載されたものでは、カートリッジ１０と試験管２０とを、外気との接触を最小限に抑制した状態でカートリッジ固定用具１によって連結することができるので、カートリッジ１０のノズル１０ｃが外気に触れることがなく、ノズル１０ｃの外周面に水蒸気が露となって付着し、試験管２０内に滴下して溶媒に混入することはない。しかしながら、カートリッジ１０と試験管２０とを１本ずつ連結しなければならず、固相抽出に多大の労力と時間を要する問題がある。  
【０００５】
本発明は上記の点に鑑みてなされたもので、揮発溶媒を滴下させるときに揮発溶媒用カラムのノズルを捕集用容器の口部に挿入させることにより空気中の水蒸気がノズルに露化して捕集用容器内に滴下することを防止することができる揮発溶媒用カラムラックを提供することである。
【課題を解決するための手段】
【０００６】
上記の課題を解決するため、請求項１に係る発明の構成上の特徴は、揮発溶媒用カラム及び捕集用容器を上下方向に整列して保持し、揮発溶媒用カラムから自然落下する揮発溶媒を捕集用容器に捕集する揮発溶媒用カラムラックにおいて、枠体に設けられ前記捕集用容器が載置される容器台と、前記揮発溶媒用カラムをノズルを下方にして直立支持し前記枠体に上下方向に移動可能に装架されたカラム支持台と、前記枠体に設けられ前記カラム支持台を、前記捕集用容器を出し入れするときに前記揮発溶媒用カラムのノズル下端を前記捕集用容器の口部上端より上方に離脱させる上昇位置と、前記揮発溶媒用カラムから溶媒を滴下させるときに前記揮発溶媒用カラムのノズルを前記捕集用容器の口部に挿入させる下降位置との間で昇降させる昇降装置と、を備えたことである。
【０００７】
請求項２に係る発明の構成上の特徴は、請求項１において、前記昇降装置は、前記枠体に水平軸線回りに回転可能に軸承された回転軸と、該回転軸に所定量偏心して平行に設けられ前記カラム支持台に下方から当接し、前記回転軸の回転によって前記カラム支持台を前記上昇位置と下降位置との間で昇降させる偏心軸と、前記偏心軸が上死点を僅かに通過した位置で前記回転軸の回転を規制する停止部材と、を備えることである。
【０００８】
請求項３に係る発明の構成上の特徴は、請求項１又は２において、前記容器台は、該容器台に載置された前記捕集用容器が前記昇降台に支持された揮発溶媒用カラムと上下方向に整列する捕集位置と、前記捕集用容器を前記容器台に着脱する着脱位置との間で移動可能に前記枠体に装架されていることである。
【発明の効果】
【０００９】
上記のように構成した請求項１に係る発明によれば、揮発溶媒用カラムから捕集用容器に溶媒を滴下させるときは、前記揮発溶媒用カラムのノズルが前記捕集用容器の口部に挿入されるようにカラム支持台が下降位置に下降されて、前記揮発溶媒用カラムのノズル先端が揮発溶媒の蒸気雰囲気内に挿入されるので、前記ノズルから滴下する揮発溶媒の気化熱によって温度が低下してもノズル外周面に水蒸気が露化して前記捕集用容器内に滴下することが無くなる。これにより、この水滴が溶媒と混合し、溶媒に溶融した特定物質の分析精度が低下することを防止できる。さらに、前記捕集用容器を出し入れするときは、前記揮発溶媒用カラムのノズル下端が捕集用容器の口部上端より上方に離脱するように前記カラム支持台を上昇位置に上昇させるので、前記捕集用容器を揮発溶媒用カラムのノズルと干渉することなく容易に着脱することができる。
【００１０】
上記のように構成した請求項２に係る発明においては、回転軸が枠体に水平軸線回りに回転可能に軸承され、該回転軸に所定量偏心して平行に設けられた偏心軸が前記カラム支持台に下方から当接し、前記回転軸の回転に基いて前記カラム支持台が上昇位置と下降位置との間で昇降され、前記偏心軸が上死点を僅かに通過した位置で前記回転軸の回転が規制されることにより、前記カラム支持台が安定して上昇位置に停止され、前記偏心軸の下降により前記カラム支持台が下降位置まで下降されるので、簡素な構成でカラム支持台を上昇位置と下降位置とに保持することができる。
【００１１】
上記のように構成した請求項３に係る発明においては、捕集用容器を載置する容器台が、前記捕集用容器を前記カラム支持台に支持された揮発溶媒用カラムと上下方向に整列させる捕集位置と、前記捕集用容器を着脱する着脱位置との間で移動可能に枠体に装架されているので、前記捕集用容器を前記容器台から揮発溶媒用カラムのノズルと干渉することなく容易に着脱することができる。
【発明を実施するための最良の形態】
【００１２】
以下、本発明に係る揮発溶媒用カラムラック１０の実施の形態について説明する。図１乃至図３に示すように、揮発溶媒用カラムラック１０は、枠体１１と、枠体１１のベース部１２上に前後方向に移動可能に載置され複数の捕集用容器１６が載置される容器台１５と、枠体１１の垂直壁１３に上下方向に移動可能に装架され複数の揮発溶媒用カラム１７をノズル１７ａを下方にして垂直に着脱可能に支持するカラム支持台１８と、枠体１１に装架されカラム支持台１８を上昇位置１８Ｈと下降位置１８Ｌとの間で昇降させる昇降装置１９とを備えている。
【００１３】
枠体１１は、水平な長方形のベース部１２及び垂直な長方形の垂直壁１３が左右側壁１４ａ，１４ｂに固定されて形成されている。左右側壁１４ａ，１４ｂは、縦壁１４ｃと縦壁１４ｄとがＬ字状に屈曲するように連結されて形成され、縦壁１４ｄの下辺は内側に屈曲して底壁１４ｅを形成している。ベース部１２は左右両端部が左右側壁１４ａ，１４ｂの底壁１４ｅ上に重ねられボルトで固定されている。垂直壁１３の左右両端に形成された屈曲部は縦壁１４ｃの中央部で重ねられボルトで左右側壁１４ａ，１４ｂに固定されている。左右側壁１４ａ，１４ｂの底壁１４ｅの下面前後には、脚部３２が固定されている。
【００１４】
容器台１５は、ステンレスの長方形状板が断面ロの字状に屈曲され両端を接合して形成されている。容器台１５には、捕集用容器１６の外径より僅かに広い幅を有し容器台１５の前面の下面より僅かに高い位置から上面の後部にかけて延在する複数の屈曲長穴１５ａが、長手方向に等ピッチで形成されている。そして、容器台１５は、容器台１５の底面上に屈曲長穴１５ａを通って載置された捕集用容器１６がカラム支持台１８に支持された揮発溶媒用カラム１７と上下方向に整列する捕集位置と、捕集用容器１６を容器台１５に着脱する着脱位置との間で前後方向に移動可能にベース部１２上に装架されている。
【００１５】
カラム支持台１８は、ステンレスの長方形状板が断面コの字状に屈曲されて形成されている。カラム支持台１８の上下に離間して平行に延在する保持板部１８ａ、１８ｂには、揮発溶媒用カラム１７の直径より僅かに大径の複数の保持穴１８ｃが屈曲長穴１５ａと長手方向で整列する位置に等ピッチで上下方向に貫通して形成されている。保持穴１８ｃの内周前面と保持板部１８ａ、１８ｂの前端面との間には、保持穴１８ｃの直径より短い幅を有する長穴が開設されている。揮発溶媒用カラム１７は、ノズル１７ａを下方にして保持穴１８ｃに挿通され、後端に突設された大径フランジ部１７ｂが上方の保持板部１８ａに当接することによりカラム支持台１８に直立支持される。
【００１６】
カラム支持台１８の保持板部１８ａ、１８ｂの後端をつなぐ背板部１８ｄの両端部には、長穴１８ｅが上下方向に延在して穿設され、各長穴１８ｅには、２個の環状の樹脂製ブッシュ２０の小径部２０ａの外周が上下方向に離間した位置で嵌入されている。図４に示すように、樹脂製ブッシュ２０の中心穴２０ｂ及び垂直壁１３に穿設されたボルト穴１３ａに挿通されたボルト２１にナット２２が螺合され、ナット２２がブッシュ２０の大径部２０ｃの端面に当接することにより、樹脂製ブッシュ２０は小径部２０ａの端面が垂直壁１３の前面に当接した状態で垂直壁１３に固定されている。これにより、カラム支持台１８は、各長穴１８ｅに嵌入する２個のブッシュ２０の小径部２０ａに案内され、大径部２０ｃと垂直壁１３との間に挟持されて、枠体１１の垂直壁１３に上下方向に移動可能に装架されている。
【００１７】
昇降装置１９は、枠体１１の垂直壁１３に上下方向に移動可能に装架されたカラム支持台１８を、捕集用容器１６を容器台１５に出し入れするときに、揮発溶媒用カラム１７のノズル１７ａの下端を捕集用容器１６の口部１６ａの上端より上方に離脱させる上昇位置１８Ｈと、揮発溶媒用カラム１７から溶媒を滴下させるときにノズル１７ａを捕集用容器１６の口部１６ａに挿入させる下降位置１８Ｌとの間で昇降させる装置である。
【００１８】
図２、図５に示すように、枠体１１の左右側壁１４ａ，１４ｂの垂直壁１３より後方に延在する部分には、回転軸２３が両端部で水平軸線回りに回転可能に軸承され、右側壁１４ｂを貫通した端部にはハンドル２４が固定されている。回転軸２３の左側壁１４ａの近傍には半径方向に突出する停止部材２５が固定され、回転軸２３は停止部材２５が左側壁１４ａの内壁面に固定された規制部材２６，２７に当接することにより時計方向及び反時計方向の回動端を規制される。回転軸２３の両端部には、半径方向に同位相で突出するアーム２８が夫々固定され、アーム２８の先端には回転軸２３と平行で所定量偏心するローラ２９が偏心軸として回転可能に支承されている。垂直壁１３の左右両端部には、上下方向に延在する長穴１３ｂがローラ２９と対向する位置に形成され、カラム支持台１８の背板部１８ｂの後面に固定された当接部材３０が長穴１３ｂを通って垂直壁１３の後方に突出し、下面に固定された樹脂製当接片３０ａを介してローラ２９に上方から当接している。
【００１９】
回転軸２３がハンドル２４によって時計方向に回転され、ローラ２９が上死点を僅かに通過すると、停止部材２５が規制部材２６に当接して回転軸２３の回転が規制される。カラム支持台１８の荷重が上死点を僅かに通過したローラ２９に当接部材３０を介して作用し、回転軸２３を時計方向に回動させようとするが、停止部材２５が規制部材２６に当接して回転軸２３の回転を規制するので、カラム支持台１８は上昇位置１８Ｈに停止される。この状態から回転軸２３がハンドル２４によって反時計方向に回転され、ローラ２９が上死点と下死点との間の所定位置まで旋回すると、停止部材２５が規制部材２７に当接して回転軸２３の回転が規制される。カラム支持台１８の荷重がローラ２９に作用し、回転軸２３を反時計方向に回動させようとするが、停止部材２５が規制部材２７に当接して回転軸２３の回転を規制するので、カラム支持台１８は下降位置１８Ｌに停止される。
【００２０】
次に、上述した揮発溶媒用カラムラック１０の作動について説明する。前方の着脱位置１５Ｆに引き出された容器台１５の各屈曲長穴１５ａ内に捕集用容器１６が挿入載置された後、容器台１５は捕集位置１５Ｒに後退させる。上昇位置１８Ｈに停止されたカラム支持台１８の各保持穴１８ｃに揮発溶媒用カラム１７がノズル１７ａを下方にして挿通され大径フランジ部１７ｂが保持板部１８ａに当接して保持されている。
【００２１】
各揮発溶媒用カラム１７に揮発溶媒が注入された後に、回転軸２３がハンドル２４によって反時計方向に回転され、カラム支持台１８が下降位置１８Ｌに下降されて停止される。これにより、揮発溶媒用カラム１７のノズル１７ａが捕集用容器１６の口部１６ａに挿入される。捕集用容器１６の口部１６ａの内部は揮発溶媒の蒸気雰囲気になるので、ノズル１７ａから滴下する揮発溶媒の気化熱によって温度が低下してもノズル１７ａの外周面に水蒸気が露化して付着することがない。これにより、ノズル１７ａの外周面に付着した露が成長して捕集用容器１６内に滴下し、この水滴が溶媒と混合して溶媒に溶融した特定物質の分析精度を低下させることを防止できる。
【００２２】
揮発溶媒用カラム１７から溶媒の滴下が終了すると、回転軸２３がハンドル２４によって時計方向に回転され、カラム支持台１８が上昇位置１８Ｈに上昇されて停止される。これにより、捕集用容器１６を取り出すために容器台１５を前方に引き出すとき、揮発溶媒用カラム１７のノズル１７ａが捕集用容器１６の口部１６ａと干渉することがない。各捕集用容器１６は着脱位置に引き出された容器台１５の屈曲長穴１５ａから前方に傾斜されて容易に取り出だされる。
【図面の簡単な説明】
【００２３】
【図１】本発明に係る揮発溶媒用カラムラックの実施の形態の正面図。
【図２】図１に示す揮発溶媒用カラムラックの平面図。
【図３】図１に示す揮発溶媒用カラムラックの側面図。
【図４】図１の４−４線に沿って切断した部分拡大断面図。
【図５】昇降装置を示す斜視図。
【図６】従来のカラムラックを示す図。
【符号の説明】
【００２４】
１０…揮発溶媒用カラムラック、１１…枠体、１２…ベース部、１３…垂直壁、１４ａ，１４ｂ…左右側壁、１５…容器台、１６…捕集用容器、１６ａ…口部、１７…揮発溶媒用カラム、１７ａ…ノズル、１８…カラム支持台、１９…昇降装置、２３…回転軸、２４…ハンドル、２５…停止部材、２６，２７…規制部材、２８…アーム、２９…ローラ（偏心軸）、３０…当接部材。
【図１】
2010025593.tif 000003
【図２】
2010025593.tif 000004
【図３】
2010025593.tif 000005
【図４】
2010025593.tif 000006
【図５】
2010025593.tif 000007
【図６】
2010025593.tif 000008